(57)【要約】      （修正有）【課題】中通し振り出し釣り竿の竿外ガイドの他に、開口部を見えなくし開口部の縁を保護する機能を持つ、補強力の高い、開口部補強用具を提供する。【解決手段】中通し振り出し釣り竿の開口部補強用具２であって、頑丈に出来たキャップに足３を付け、また竿外ガイド６を取り付けて、開口部に被せた時開口部の上になる部分を切除し、そこに着脱式キャップ５を取り付け、開口部を見えなくし、外観をキャップ状にした。【選択図】図５
0003203525.tif 000002
【実用新案登録請求の範囲】
【請求項１】
中通し振り出し釣り竿の開口部補強用具であって、頑丈に出来たキャップに足を付け、また竿外ガイドを取り付けて、開口部に被せた時開口部の上になる部分を切除し、そこに着脱式キャップを取り付け、開口部を見えなくした、外観がキャップ状の開口部補強用具。
【請求項２】
中通し振り出し釣り竿の開口部補強用具であって、円筒を縦割にした形状で釣り竿の外周に密接でき、開口部に密接して開口部のすぐ上に、開口部より小さめの切り開きを付けて、釣り糸の通り道とするとともに、釣り糸が開口部に触れることを防止する機能を持たせた開口部補強用具で、さらに上に着脱式キャップを付けて、開口部を見えなくした開口部補強用具。
【請求項３】
中通し振り出し釣り竿の開口部補強用具であって、頑丈なキャップで作った開口部補強用具と円筒を縦割にした形状で釣り竿の外周に密接でき、切り開き部を持つ補強用具とが一体となった補強用具で、さらに着脱式キャップを付け開口部を見えなくした、非常に強い補強力を持つ、開口部補強用具。
【考案の詳細な説明】
【技術分野】考案は竿外ガイドの他に、開口部を糸通しの作業時以外釣りをしている時でも見えなくする着脱式のキャップまたは開閉式の蓋、釣り糸が釣り竿の開口部の縁に触れることを防止する切り開き部の付いた外観がキャップ状の作りやすい開口部補強用具に関する考案であり、また糸通しの作業を容易にし、補強力を高めることが出来、釣り竿の開口部の設計に関わる制約を緩和できるようにする考案である。
【背景技術】中通し振り出し釣り竿は釣り糸の送り出し、巻取りの釣り糸の通り道に竿の空洞部を用いるため、竿に釣り糸の出入りのための開口部が設けられている。開口部を設けることで弱体化した開口部周辺を補強するため、そこに開口部補強用具が取り付けられている。開口部補強用具には竿外ガイドが組み込まれている。開口部補強用具は棒状または細長い板状の金属をアーチ状に曲げて作られており、開口部を跨ぐように取り付けられている。改良型として、開口部の真上を避けること、補強力を高めることとから、開口部の上では細長い金属板を左右に別れさせ輪のようにしたものもある。
【考案の概要】
【考案が解決しようとする課題】
【０００１】開口部には蓋が常識であるが、中通し振り出し釣り竿の開口部は常時丸見えになっている。開口部に取り付けられている開口部補強用具は棒状、細い板状であってこれで開口部を見えなくすることは出来ない。また開口部を跨ぐように取り付けられていることから、糸通し作業の邪魔になっている。また補強力を高めることにも限界がある。遠投で釣り糸を送り出す時には釣り糸は波打ち触れる。そのため開口部の大きさ、形状、位置、釣り糸の竿への出入り角度など制約もある。
【問題を解決するための手段】
【０００２】開口部は釣り糸の通り道だから直接塞ぐことは出来ない。だから開口部の上を覆って開口部を見えなくする方法を考える。これには開口部補強用具の形状を著しく変えることが必要になる、また糸通しの邪魔にならないことも、釣り糸が開口部の縁に触れることを防止する仕組みも、補強力をさらに高めることも、開口部補強用具の形状を変えねば実現出来ない。課題を解決できる新しい形状の開口部補強用具は３種類に大別される。作り方はいずれも非常に簡単である。第１のものは、開口部を見えなくする機能だけの開口部補強用具である。開口部を補強出来る頑丈なキャップに釣り竿に取り付けられる部分（以下足と称す）と竿外ガイドを取り付ける。そして釣り竿の開口部の上方にあたる部分を切除して開放する。その開放部に開放部を覆うことの出来る着脱式のキャップを着けて完成する。キャップの上にキャップを重ねる二重キャップの形状の開口部補強用具になる。第２のものは、さらに開口部保護機能も付いたもので、円筒状の金属を縦割りした形状で、釣り竿の外周に密接出来る形状のものに、釣り竿の開口部の上にあたる部分を開口部より小さめに切り開き、釣り糸の出入り口とすると共に、釣り糸が釣り竿の開口部の縁に触れることを防止する機能を持たす。切り開きの竿尻側の端のすぐ近くに竿外ガイドを取り付け、また切り開きの上に着脱式キャップを乗せるので、竿先側の１ケの足を押さえるためのバネを用いる部品を付け、竿尻側には竿の外周を跨ぐように取り付けられた２ケの足を差し込むためのポケットを付ける。脱着式キャップはこのような足合計３ケと、竿尻側に、竿外ガイドを通る釣り糸が竿に出入り出来るよう縦長の口を持つものとなる。この開口部補強用具は、着脱式キャップを外せば、上にも横にも何もないという非常に開口部周辺が開放された状態となり、糸通し作業がやり易いという大きい特徴を待つ。第３のものは、第１のものと第２のものを合体させた感じのもので、それを１枚の金属版で作ることから全体が繋がり非常に大きい補強力を持つ。１枚の金属版を切り、折り曲げ、曲げて仕上げると、釣り竿の左右の側線に平行に立ち上がる２枚の竿方向に長い長方形の部分と、竿の外周に密接出来る、円筒を縦割にした形状の部分と、開口部保護の切り開き部のついたものが出来上がる。２枚の長方形部の竿先側の端と竿尻側の端にキャップを被せて２枚の板を繋ぐように固定する。この連結によってさらに補強力は高まる。この２つの固定キャップの間に着脱式キャップを取り付けて完成する。強い補強力と釣り糸が開口部の縁に当たることを防止する機能は開口部の長さを長くして開口部での釣り糸の出入り角度を小さくして釣り糸の送り出し、巻取りを円滑にする可能性を持つ。また開口部保護の切り開き部をここで釣り糸を屈折させるガイドとして利用することも可能である。開閉式の蓋でなく、着脱式キャップの場合紛失防止で本体に釣り糸で繋いでおくとよい。また第１のものと第３のものではキャップが容易に外れぬようキャップのバネの力を強め、また凹凸部などの噛み合わせ部を付けることも大切である。この外観がキャップ状の開口部補強用具は非常にすっきりした形状をしており、流線型、竿尻側から竿先に行くにしたがって細くなる形状など非常にファッショナブルな形状とすることが出来る。
【考案の効果】
【０００３】開口部が見えなくなり、すっきりした形状に変わり、さらに新しい機能も付与されれば、中通し振り出し釣り竿の著しい普及が期待される。
【図面の簡単な説明】
【０００４】
【図１】考案のキャップ状の外観の開口部補強用具で、第１のものの側面図で、竿の上に置いて、着脱式キャップを外した時の側面図である。
【図２】考案のキャップ状の外観の開口部補強用具で、第１のものの側面図で、竿の上に置いて、着脱式キャップを着けた時の側面図である。
【図３】考案のキャップ状の外観の開口部補強用具で、第１のものの竿尻側の図である。着脱式キャップを着けた時の図である。
【図４】考案のキャップ状の外観の開口部補強用具で、第１のもので、着脱式キャップを着けて裏返しにして見た図である。
【図５】考案のキャップ状の外観の開口部補強用具で、第２のものの概観である。
【図６】考案のキャップ状の外観の開口部補強用具で、第３のものを作る、１枚の金属版を切り終えた直後の形を示す、展開図に相当する図である。
【図７】考案のキャップ状の外観の開口部補強用具で、第３のものの、１枚の金属版を折り曲げ、曲げて形づくった、キャップを着ける直前の形のものの、開口部保護の切り開きがある部分の断面図である。
【図８】開口部補強用具の概観である。
【符号の説明】
【０００５】１  釣り竿
２  開口部補強用具
３  足
４  開口部上部になり、切り抜いた部分
５  着脱式キャップ
６  竿外ガイド
７  開口部上部になり、切り抜いた部分で、着脱式キャップで覆われている部分
８  釣り糸が通る縦長の口
９  足押さえ
１０  ポケット
１１  長方形形成部
１２  円筒を縦割にした形状形成部
１３  開口部保護の切り開き部形成部
１４  長方形部
１５  円筒を縦割にした形状部
１６  開口部保護の切り開き部
１７  開口部
【図１】
0003203525.tif 000003
【図２】
0003203525.tif 000004
【図３】
0003203525.tif 000005
【図４】
0003203525.tif 000006
【図５】
0003203525.tif 000007
【図６】
0003203525.tif 000008
【図７】
0003203525.tif 000009
【図８】
0003203525.tif 000010
【手続補正書】
【提出日】平成28年1月20日(2016.1.20)
【手続補正１】
【補正対象書類名】実用新案登録請求の範囲
【補正対象項目名】全文
【補正方法】変更
【補正の内容】
【実用新案登録請求の範囲】
【請求項１】
中通し振り出し釣り竿の開口部補強用具であって、頑丈に出来たキャップに足を付け、また竿外ガイドを取り付けて、開口部に被せた時開口部の上になる部分を切除し、そこに着脱式キャップを取り付け、開口部を見えなくした、外観がキャップ状の開口部補強用具。
【請求項２】
中通し振り出し釣り竿の開口部補強用具であって、円筒を縦割にした形状で釣り竿の外周に密接でき、開口部に密接して開口部のすぐ上に、開口部より小さめの切り開きを付けて、釣り糸の通り道とするとともに、釣り糸が開口部に触れることを防止する機能を持たせた開口部補強用具で、さらに上に着脱式キャップを付けて、開口部を見えなくした開口部補強用具。
【請求項３】
中通し振り出し釣り竿の開口部補強用具であって、１枚の金属板を、切る、折る、曲げることで作られるもので、切り開き部を持つ、釣り竿の外周に密接した円筒を縦割りした形状の金属板部と、釣り竿の左右の側線に沿って立ちあがる左右各１枚の竿方向に長い長方形の金属板部を形づくるものに、左右の金属板部の前後の端にキャップを被せて金属板を繋ぎ金属板とキャップを固定し、固定キャップの間に着脱式キャップ被せてできる開口部補強用具であって、その形状および性状が、円筒を縦割りにした形状の金属板で切り開き部を持ち釣り竿の外周に密接できるもので開口部補強用具作成の土台となるものの上に、頑丈にできたキャップに竿外ガイドを取り付けて開口部に被せた時開口部の上になる部分を切除しそこに着脱式キャップを取り付けて開口部を見えなくした外観がキャプ状の開口部補強用具を切り開き部に合わせて乗せ、両者を接合して一体化したものに類似になる開口部補強用具で、二つの開口部補強用具が合体したようになり非常に強い補強力を持つ開口部補強用具。